(57)【要約】【課題】  ファンフィルタユニットのエアフィルタの交換時期を送風機モータの駆動電流値と稼動時間の関係から判断し、交換時期を見過ごすことがないファンフィルタユニットのエアフィルタ交換時期判別方法およびファンフィルタユニットを提供する。【解決手段】  エアフィルタ３および送風機２を内蔵したファンフィルタユニット１において、エアフィルタ３の目詰まりによる送風機２のモータ２００の電流値と送風機２の稼動時間の関係から、エアフィルタ３の目詰まり状態を判別して、それにより警告表示灯を点灯することによりファンフィルタユニット１のエアフィルタ３の交換時期を報知する。【選択図】  図１
2007083106.tif 000002
【特許請求の範囲】
【請求項１】
エアフィルタおよび送風機を内蔵したファンフィルタユニットのエアフィルタの交換時期を示す交換時期判別方法において、
前記エアフィルタの目詰まりによる前記送風機のモータの駆動電流値と前記送風機の稼動時間の関係から、前記エアフィルタの目詰まり状態を判別し、前記エアフィルタの交換を示す警告表示灯を点灯することを特徴とするファンフィルタユニットのエアフィルタ交換時期判別方法。
【請求項２】
エアフィルタおよび送風機を内蔵したファンフィルタユニットにおいて、
前記エアフィルタの目詰まりによる前記送風機のモータの駆動電流値と前記送風機の稼動時間の関係から、前記エアフィルタの目詰まり状態を判別する判別手段と、
前記判別手段の出力により点灯され前記エアフィルタの交換時期を示す警告表示灯とを
備えたことを特徴とするファンフィルタユニット。
【請求項３】
弱運転で使用した場合で、前記稼働時間が４００００（ｈ）から５３０００（ｈ）であり、前記モータ駆動電流値が０．６２（Ａ）から０．５８（Ａ）と判定したときに前記エアフィルタの交換を行うことを特徴とする請求項２に記載のファンフィルタユニット。
【請求項４】
中運転で使用した場合で、前記稼働時間が２８０００（ｈ）から４００００（ｈ）であり、前記モータ駆動電流値が０．８０（Ａ）から０．７４（Ａ）と判定したときに前記エアフィルタの交換を行うことを特徴とする請求項２に記載のファンフィルタユニット。
【請求項５】
強運転で使用した場合で、前記稼働時間が３００００（ｈ）から３２０００（ｈ）であり、前記モータ駆動電流値が１．０１（Ａ）から０．９８（Ａ）と判定したときに前記エアフィルタの交換を行うことを特徴とする請求項２に記載のファンフィルタユニット。
【発明の詳細な説明】
【技術分野】
【０００１】
本発明は、静粛性と合わせて、高度なクリーン化が要求される病院、半導体工場、食品工場等で使用されるファンフィルタユニットに使用されるエアフィルタの交換時期を示す交換時期判別方法およびファンフィルタユニットに関する。
【背景技術】
【０００２】
従来、ファンフィルタユニットに使用されるエアフィルタの交換時期の判別は、塵や粉塵などによりエアフィルタの目詰まりによってエアフィルタの抵抗が増加することによる差圧を測定することによって行われていた（例えば、特許文献１参照。）。
【０００３】
【特許文献１】特開平１１−１４７０１６号公報
【発明の開示】
【発明が解決しようとする課題】
【０００４】
しかし、特許文献１に開示されたエアフィルタの初期と交換時期との差圧測定によるエアフィルタの交換時期の判別方法では、送風機の特性および交換時期における送風機の風量の減少等により、差圧計の指示針が一定ではなく、常に針が動いている状態であるため、その確認精度に問題があり、適切なエアフィルタの交換時期を見逃す等の問題があった。
本発明は、上記問題を解決するためになされたもので、送風機モータの駆動電流値とその稼動時間の関係からエアフィルタの目詰まり状態を判別することができるファンフィルタユニットのエアフィルタ交換時期判別方法およびファンフィルタユニットを提供することを目的とする。
【課題を解決するための手段】
【０００５】
上記目的を達成するために、ファンフィルタユニットのエアフィルタ交換時期判別方法は、エアフィルタおよび送風機を内蔵したファンフィルタユニットのエアフィルタの交換時期を示す交換時期判別方法において、前記エアフィルタの目詰まりによる前記送風機のモータの駆動電流値と前記送風機の稼動時間の関係から、前記エアフィルタの目詰まり状態を判別し、前記エアフィルタの交換を示す警告表示灯を点灯することを特徴とする。
【０００６】
また、本発明のファンフィルタユニットは、エアフィルタおよび送風機を内蔵したファンフィルタユニットにおいて、前記エアフィルタの目詰まりによる前記送風機のモータの駆動電流値と前記送風機の稼動時間の関係から、前記エアフィルタの目詰まり状態を判別する判別手段と、前記判別手段の出力により点灯され前記エアフィルタの交換時期を示す警告表示灯とを備えたことを特徴とする。
【発明の効果】
【０００７】
本発明のファンフィルタユニットに内蔵されるエアフィルタの交換時期判別によれば、エアフィルタの交換時期を明確に表示することができるため、交換時期を見過ごすことがなく、高度なクリーン化が要求される環境の確保が行える。
【発明を実施するための最良の形態】
【０００８】
以下、図面を参照して本発明に係るファンフィルタユニットの実施形態について説明する。
【実施例１】
【０００９】
図１は、本発明に係わるエアフィルタを内蔵したファンフィルタユニット１の第１の実施形態を示す断面図である。また、図２は、図１に示すファンフィルタユニット１を下面側から見た図である。
【００１０】
図１において、第１の実施形態に係わるファンフィルタユニット１は、例えば直方体（箱型）の形状に、モータ２００付の送風機２、エアフィルタ３が内蔵されている。ファンフィルタユニット１は、直方体（箱型）の４隅にナット４００（図１では、側断面であるので２箇所を示す）によって吊ボルト４が固定され、４隅に固定された吊ボルト４によって図示しない建物の躯体から吊り下げられ、天井パネル５に設置される。
【００１１】
ファンフィルタユニット１は、内部に空気を流入させる送風機２の空間１００と、エアフィルタ３が設置される空間１１０から構成され、それぞれの空間は、完全に仕切られた構造となっており、空気の移動は行われない構造となっている。
【００１２】
ファンフィルタユニット１の空間１００には送風機２が設置され、また、側壁にはファンフィルタユニット１の空間１００内に空気を流入するためのダクト口６が１箇所に設けられている。ダクト口６からファンフィルタユニット１の空間１００に流入した空気は、送風機２によって送風され、消音ボックス７を通過して、ファンフィルタユニット１の空間１１０に流出し、さらに、エアフィルタ３の上流側３００に空気が流入する。流入した空気は、エアフィルタ３を通過することにより空気の清浄度が高められ、エアフィルタ３の下流側３１０から室内に流出される。ファンフィルタユニット１の空間１００、１１０の内壁、および消音ボックス７内には、吸音、結露防止等のためにグラスウール１０が取付けられている。
【００１３】
エアフィルタ３は、フィルタ枠３２０の４箇所に設けられたフィルタ取付部材３４０にてファンフィルタユニット１の空間１１０の下側の４箇所に設けられたフィルタ取付部材１４に図示しないビス等によって取付けられる。また、エアフィルタ３のフィルタ枠３２０の縁部に設けられたシール材３３０とファンフィルタユニット１の空間１１０の中間部の全周に設けられたＵ字状の取付枠１１に当接するように取付けられ、エアフィルタ３の上流側３００と下流側３１０の気密性が確保されて清浄な空気が下流側３１０に流出される。
【００１４】
図２は、ファンフィルタユニット１を下面側から見た実施形態を示す。図１に示したファンフィルタユニット１の空間１００の下面側は、パネル８によって空間１００の全面が覆われ、４箇所のビス８００等によって締め付けられる構造に構成されている。これにより、パネル８が取外し可能な構造となるため、送風機２のメンテナンスを行うときにパネル８が開閉される。
【００１５】
また、図１に示されるファンフィルタユニット１の空間１１０の下面側は、エアフィルタ３からの清浄な空気が流出される下流側３１０が開放されている。エアフィルタ３とファンフィルタユニット１の間には額縁９が構成され、ファンフィルタユニット１とエアフィルタ３の取付部分が覆われている。そして、額縁９は、４箇所のビス８００によって取付けられ、取外し可能な構造となっている。エアフィルタ３の交換等は、４箇所のビス８００を緩め、額縁９を取外すことにより行うことができる。
【実施例２】
【００１６】
図３は、本発明に係るファンフィルタユニット１の第２の実施形態を示し、プレフィルタ１３を通して室内の空気を直接吸気するユニットを下面側から見た図である。
【００１７】
図３の第２の実施形態では、ファンフィルタユニット１において、室内の空気を循環させるためにパネル８の一部にプレフィルタ１３を取付けた構成である。この場合は、図１に示されるダクト口６は不要となる。
【００１８】
したがって、室内の空気は、プレフィルタ１３を通してファンフィルタユニット１の空間１００に流入し、送風機２によって消音ボックス７を通過して、ファンフィルタユニット１の空間１１０に流出し、さらに、エアフィルタ３の上流側３００に空気が流入する。流入した空気は、エアフィルタ３を通過することにより空気の清浄度が高められ、エアフィルタ３の下流側３１０から室内に流出される。
【００１９】
図４は、第１および第２の実施形態のファンフィルタユニット１に取り付けられるエアフィルタ３の構成を示し、ファンフィルタユニット１に内蔵されるエアフィルタ３単体の実施形態を示す図である。
【００２０】
エアフィルタ３は、空気が通過するときに塵埃や粉塵等を除去し、清浄な空気とするろ材（図示しない。）を、ジグザグ状に折り畳まれて形成されており、その全体形状を維持するために山部と山部の相互を一定間隔にしてフィルタ枠３２０の四辺に囲まれた枠内に収納される。ろ材の四周面は、フィルタ枠３２０と接し、収納された状態で気密性を維持される構成である。
【００２１】
図１に示したように、エアフィルタ３は、フィルタ枠３２０の４箇所に設けられたフィルタ取付部材３４０にてファンフィルタユニット１の空間１１０の下側の４箇所に設けられフィルタ取付部材１０に図示しないビス等によって取付けられる。また、エアフィルタ３のフィルタ枠３２０の縁部に設けられたシール材３３０とファンフィルタユニット１の空間１１０の中間部の全周に設けられたＵ字状の取付枠１１に当接するように取付けられ、エアフィルタ３の上流側３００と下流側３１０の気密性が確保されて清浄な空気が下流側３１０に流出される。
【００２２】
次に、第１および第２のファンフィルタユニット１によるエアフィルタ交換時期判別方法について説明する。
【００２３】
すなわち、本発明のエアフィルタ交換時期判別方法では、エアフィルタの目詰まりによる送風機２のモータ２００の駆動電流値と送風機２の稼動時間の関係から、エアフィルタ３の目詰まり状態を判別し、エアフィルタ３の交換を示す警告表示灯を点灯するものである。このため、図１および図３には警告表示灯であるランプ１２が設けられている。
【００２４】
表１および図５は、送風機２のモータ２００の駆動電流値と送風機２の稼動時間の関係を示したものであり、エアフィルタ３の交換時期となった時点におけるモータ２００の駆動電流値と送風機２の稼動時間の測定値である。
【表１】
2007083106.tif 000003
【００２５】
すなわち、例１（弱運転で使用した場合）では、例えば使用開始の初期値では送風機２の風量１０．９（ＣＭＭ）、エアフィルタ３の静圧８０（Ｐａ）、モータ駆動電流値０．６８（Ａ）であった場合、エアフィルタ３の交換時期として判断した時の稼働時間が４００００（ｈ）から５３０００（ｈ）であり、その時点の送風機２の風量７．８（ＣＭＭ）、エアフィルタ３の静圧１１０（Ｐａ）、モータ駆動電流値０．６２から０．５８（Ａ）であることが判明した。よって、この稼働時間４００００（ｈ）から５３０００（ｈ）と、モータ駆動電流値０．６２（Ａ）から０．５８（Ａ）を判定したときにエアフィルタ３の交換を行うことが空気の清浄度を維持することができる。
【００２６】
また例２（中運転で使用した場合）では、例えば使用開始の初期値では送風機２の風量１５．９（ＣＭＭ）、エアフィルタ３の静圧１２０（Ｐａ）、モータ駆動電流値０．９１（Ａ）であった場合、エアフィルタ３の交換時期として判断した時の稼働時間が２８０００（ｈ）から４００００（ｈ）であり、送風機２の風量１０．１（ＣＭＭ）、エアフィルタ３の静圧１５０（Ｐａ）、モータ駆動電流値０．８０（Ａ）から０．７４（Ａ）であることが判明した。よって、この稼働時間２８０００（ｈ）から４００００（ｈ）と、モータ駆動電流値０．８０（Ａ）から０．７４（Ａ）を判定したときにエアフィルタ３の交換を行うことが空気の清浄度を維持することができる。
【００２７】
また例３（強運転で使用した場合）では、例えば使用開始の初期値では送風機２の風量２０．９（ＣＭＭ）、エアフィルタ３の静圧１６０（Ｐａ）、モータ駆動電流値１．２５（Ａ）であった場合、エアフィルタ３の交換時期として判断した時の稼働時間が３００００（ｈ）から３２０００（ｈ）であり、送風機２の風量１２．８（ＣＭＭ）、エアフィルタ３の静圧１８０（Ｐａ）、モータ駆動電流値１．０１（Ａ）から０．９８（Ａ）であることが判明した。よって、この稼働時間３００００（ｈ）から３２０００（ｈ）と、モータ駆動電流値１．０１（Ａ）から０．９８（Ａ）を判定したときにエアフィルタ３の交換を行うことが空気の清浄度を維持することができる。
【００２８】
なお、稼働時間の計数は図示しない時計機能を有するマイコンによって測定することができ、またそのマイコンによってモータ２００の駆動電流を測定することで上記の値を示したときに前記ランプ１２を点灯して、エアフィルタ３の交換を報知するように構成することができる。
【００２９】
尚、実施形態では警報表示灯のランプ１２は、ファンフィルタユニット１に取付けられたが、ファンフィルタユニット１とは切り離してモニターし易い別場所に設置することもできる。
【００３０】
実施形態に係るファンフィルタユニットによれば、送風機２のモータ２００の駆動電流値と送風機２の稼動時間の関係から、エアフィルタ３の目詰まり状態を判別し、エアフィルタ３の交換を示す警告表示灯を点灯することにより、エアフィルタの交換時期を明確に表示することができるため、交換時期を見過ごすことがなく、高度なクリーン化が要求される環境の確保が行える。
【図面の簡単な説明】
【００３１】
【図１】本発明の第１の実施形態に係わるファンフィルタユニットの断面詳細を示す図。
【図２】図１のファンフィルタユニットを下側から見た図。
【図３】本発明の第２の実施形態に係わるファンフィルタユニットであって、プレフィルタを取付けてある実施形態を下側から見た図。
【図４】本発明の第１および第２の実施形態に係わるファンフィルタユニットに内蔵するエアフィルタの形状を示す図。
【図５】本発明の実施形態に係わる送風機モータの駆動電流値と送風機の稼動時間の関係を示したグラフ。
【符号の説明】
【００３２】
１  ファンフィルタユニット
２  送風機
３  エアフィルタ
４  吊ボルト
５  天井パネル
６  ダクト口
７  消音ボックス
８  パネル
９  額縁
１０  グラスウール
１１  フィルタ取付部材
１２  警報表示灯
１３  プレフィルタ
１４  フィルタ取付部材
１００、１１０  空間
２００  モータ
３００  上流側
３１０  下流側
３２０  フィルタ枠
３００  シール材
３４０  フィルタ取付部材
４００  ナット
８００  ビス
【図１】
2007083106.tif 000004
【図２】
2007083106.tif 000005
【図３】
2007083106.tif 000006
【図４】
2007083106.tif 000007
【図５】
2007083106.tif 000008